(57)【要約】【課題】流体の温度計測装置及び発電プラントにおいて、設置コストの増加を抑制する一方で、計測精度の向上及びメンテナンス性の向上を図る。【解決手段】側壁部１３の上面部１３ａに固定されるサポート部材２１と、鉛直方向の上方側がサポート部材２１に支持されて下方側の計測部３２が水流部１５に浸漬される温度計２２と、サポート部材２１から離間した位置で側壁部１３の側面部１３ｂに固定されると共に温度計２２のうちの水流部１５に浸漬される部分より水流部１５の少なくとも上流側で温度計２２の水流部１５に浸漬される部分に対向して配置されるガイド管２３とを備える。【選択図】図２
2018072289.tif 000002
【特許請求の範囲】
【請求項１】
流路の一部を構成する側壁部に固定されるサポート部材と、
鉛直方向の上方側が前記サポート部材に支持されて下方側の計測部が前記流路の水流部に浸漬される温度計と、
前記サポート部材から離間した位置で前記側壁部に固定されると共に前記温度計の前記水流部に浸漬される部分より前記流路の少なくとも上流側で前記温度計の前記水流部に浸漬される部分に対向して配置されるガイド部材と、
を備えることを特徴とする流体の温度計測装置。
【請求項２】
前記側壁部は、鉛直方向に沿った側面部と、前記側面部より鉛直方向の上方に位置する上面部とが設けられ、前記サポート材は、前記上面部に固定され、前記ガイド部材は、前記側面部に固定されることを特徴とする請求項１に記載の流体の温度計測装置。
【請求項３】
前記温度計は、前記水流部に浸漬されない部分に補強部材が固定され、前記補強部材は、上端部が前記サポート部材に着脱自在に取付けられることを特徴とする請求項１または請求項２に記載の流体の温度計測装置。
【請求項４】
前記温度計は、温度計本体と、前記温度計本体を被覆する保護管とにより構成され、前記保護管は、前記補強部材に対して複数個所で溶接により固定されることを特徴とする請求項３に記載の流体の温度計測装置。
【請求項５】
前記補強部材は、鉛直方向に所定間隔を空けて複数の取付部が設けられることを特徴とする請求項３または請求項４に記載の流体の温度計測装置。
【請求項６】
前記ガイド部材は、前記温度計の前記水流部に浸漬される部分を覆うように、前記水流部に浸漬されて前記温度計から所定隙間を空けて配置されることを特徴とする請求項１から請求項５のいずれか一項に記載の流体の温度計測装置。
【請求項７】
前記ガイド部材は、筒形状をなし、前記温度計の周囲を覆うように所定隙間を空けて配置されることを特徴とする請求項１から請求項６のいずれか一項に記載の流体の温度計測装置。
【請求項８】
請求項１から請求項７のいずれか一項に記載の流体の温度計測装置が配置された放水路または取水路を含むことを特徴とする発電プラント。
【発明の詳細な説明】
【技術分野】
【０００１】
本発明は、流れる流体の温度を計測する流体の温度計測装置及び発電プラントに関するものである。
【背景技術】
【０００２】
例えば、発電プラントでは、冷却水として海水を給水路から取り込み、海水により各種の機器を冷却した後、使用済の海水を放水路から海に戻している。この場合、周辺の環境変化を抑制するため、放水路から海に戻す海水の温度を計測し、使用済の海水を所定温度以下の状態で戻すように監視している。このような流体の温度計測装置としては、例えば、下記特許文献に記載されたものがある。
【先行技術文献】
【特許文献】
【０００３】
【特許文献１】特開２０１５−００４５６４号公報
【特許文献２】実公昭５８−０１３７２４号公報
【発明の概要】
【発明が解決しようとする課題】
【０００４】
一般的な温度計測装置にて、温度計は、上部が支持された片持ち状態で、下部が放水路を流れる海水に浸漬されるように配置されている。そのため、温度計は、放水路を流れる海水から曲げ応力を受けると共に、カルマン渦により振動応力が発生する。そして、温度計が許容応力以上の応力を受けると、破損してしまうおそれがあり、温度計の全長を短くしたり、温度計自体の強度を上げたり、温度計を支持する支持部材を増加したり、温度計を放水路内で水流の緩やかな場所に配置したりすることが考えられる。ところが、温度計自体の強度を上げると、重量が増加してコストアップや支持構造の複雑化を招いてしまう。また、温度計を支持する支持部材を増加すると、メンテナンス時のアクセス通路を確保する人用があり、コストアップを招いてしまう。更に、温度計を水流の緩やかな場所に配置して、放水路内でよどみが発生した場合には高精度な温度検出が困難となってしまう。
【０００５】
本発明は、上述した課題を解決するものであり、設置コストの増加を抑制する一方で、計測精度の向上及びメンテナンス性の向上を図る流体の温度計測装置及び発電プラントを提供することを目的とする。
【課題を解決するための手段】
【０００６】
上記の目的を達成するための本発明の流体の温度計測装置は、流路の一部を構成する側壁部に固定されるサポート部材と、鉛直方向の上方側が前記サポート部材に支持されて下方側の計測部が前記流路の水流部に浸漬される温度計と、前記サポート部材から離間した位置で前記側壁部に固定されると共に前記温度計の前記水流部に浸漬される部分より前記流路の少なくとも上流側で前記温度計の前記水流部に浸漬される部分に対向して配置されるガイド部材と、を備えることを特徴とするものである。
【０００７】
従って、温度計は、上方側が側壁部に固定されるサポート部材に支持され、下方側の計測部が水流部に浸漬されると共に、流路の上流側で温度計の水流部に浸漬される部分に対向してガイド部材が配置される。ここで、温度計は、計測部が温度計を支持するサポート部材から離間した位置に固定されたガイド部材により水流部の上流側が被覆されることから、計測部が水流部から直接曲げ応力を受けたり、カルマン渦による振動応力が発生したりすることがなく、温度計自体の強度を上げたり、温度計を支持する支持部材を増加したり、温度計を水流の緩やかな場所に配置したりする必要がない。その結果、温度計の設置コストの増加を抑制することができる一方で、水流部の温度の計測精度を向上することができると共に、温度計のメンテナンス性を向上することができる。
【０００８】
本発明の流体の温度計測装置では、前記側壁部は、鉛直方向に沿った側面部と、前記側面部より鉛直方向の上方に位置する上面部とが設けられ、前記サポート材は、前記上面部に固定され、前記ガイド部材は、前記側面部に固定されることを特徴としている。
【０００９】
従って、温度計は、側壁部の上面部に固定されるサポート部材に支持され、ガイド部材は、側壁部の側面部に固定されることとなり、温度計とガイド部材は、直接接触しておらず、ガイド部材が水流部からの応力を受けても、温度計に伝達されることはなく、温度計の振動を抑制することができる。
【００１０】
本発明の流体の温度計測装置では、前記温度計は、前記水流部に浸漬されない部分に補強部材が固定され、前記補強部材は、上端部が前記サポート部材に着脱自在に取付けられることを特徴としている。
【００１１】
従って、温度計における水流部に浸漬されない位置が補強部材により補強されることで、温度計の耐震性を向上することができると共に、補強部材が水流の圧力を受けないことによりサポート部材に作用する負荷を低減することができ、また、補強部材をサポート部材に着脱自在とすることで、温度計を補強部材と共にサポート部材から取り外し可能となり、温度計のメンテナンス性を向上することができる。
【００１２】
本発明の流体の温度計測装置では、前記温度計は、温度計本体と、前記温度計本体を被覆する保護管とにより構成され、前記保護管は、前記補強部材に対して複数個所で溶接により固定されることを特徴としている。
【００１３】
従って、温度計本体を保護管により被覆して温度計を構成し、保護管を補強部材に溶接により固定することで、温度計本体だけを取り外すことが可能となり、温度計のメンテナンス性を向上することができる。
【００１４】
本発明の流体の温度計測装置では、前記補強部材は、鉛直方向に所定間隔を空けて複数の取付部が設けられることを特徴としている。
【００１５】
従って、補強部材に複数の取付部が設けられることで、サポート部材に対する補強部材の取付位置を鉛直方向に調整することができ、水流部の水面に対して温度計の計測部を最適位置に位置することで、計測裕度を向上することができる。
【００１６】
本発明の流体の温度計測装置では、前記ガイド部材は、前記温度計の前記水流部に浸漬される部分を覆うように、前記水流部に浸漬されて前記温度計から所定隙間を空けて配置されることを特徴としている。
【００１７】
従って、ガイド部材が温度計の水流部に浸漬される部分を覆うように温度計から所定隙間を空けて配置されることで、計測部が水流部から直接曲げ応力を受けたり、カルマン渦による振動応力が発生したりすることがなく、水流部の温度の計測精度を向上することができる。
【００１８】
本発明の流体の温度計測装置では、前記ガイド部材は、筒形状をなし、前記温度計の周囲を覆うように所定隙間を空けて配置されることを特徴としている。
【００１９】
従って、ガイド部材を筒形状として温度計の周囲を覆うように所定隙間を空けて配置することで、水流が旋回流であっても、計測部が水流部から直接応力を受けることがなく、温度計による水流部の温度の計測精度を向上することができる。
【００２０】
本発明の発電プラントは、前記流体の温度計測装置が配置された放水路または取水路を含むことを特徴とするものである。
【００２１】
従って、温度計の設置コストの増加を抑制することができる一方で、水流部の温度の計測精度を向上することができると共に、温度計のメンテナンス性を向上することができる。
【発明の効果】
【００２２】
本発明の流体の温度計測装置及び発電プラントによれば、温度計を支持するサポート部材から離間した位置で側壁部に固定されて温度計より水流部の上流側に配置されるガイド部材を設けるので、計測部が水流部から直接曲げ応力を受けたり、カルマン渦による振動応力が発生したりすることがなく、温度計の設置コストの増加を抑制することができる一方で、水流部の温度の計測精度を向上することができると共に、温度計のメンテナンス性を向上することができる。
【図面の簡単な説明】
【００２３】
【図１】図１は、本実施形態の流体の温度計測装置を表す側面図である。
【図２】図２は、流体の温度計測装置を正面から見た断面図である。
【図３】図３は、流体の温度計測装置を表す水平断面図である。
【図４】図４は、補強部材の取付状態を表す概略図である。
【図５】図５は、温度計の計測部を表す断面図である。
【図６】図６は、本実施形態の流体の温度計測装置の変形例１を表す水平断面図である。
【図７】図７は、本実施形態の流体の温度計測装置の変形例２を表す水平断面図である。
【図８】図８は、本実施形態の流体の温度計測装置が設置される放水路の概略図である。
【発明を実施するための形態】
【００２４】
以下に添付図面を参照して、本発明に係る流体の温度計測装置及び発電プラントの好適な実施形態を詳細に説明する。なお、この実施形態により本発明が限定されるものではなく、また、実施形態が複数ある場合には、各実施形態を組み合わせて構成するものも含むものである。
【００２５】
図８は、本実施形態の流体の温度計測装置が設置される放水路の概略図である。
【００２６】
火力発電プラントや原子力発電プラントなどでは、蒸気を用いて蒸気タービンを駆動して発電を行うことから、仕事を終えた蒸気を復水器により冷却して復水に戻している。そのため、このような発電プラントでは、海岸や河川の近傍に取水設備を設置し、海水や河川水を冷却水として使用している。即ち、海岸や河川の取水口から復水器の近傍まで取水路が設けられ、この取水路にポンプが配置されている。一方、復水器から海岸や河川の近傍まで放水路が設けられ、放水路により海岸や河川に排水される。
【００２７】
本実施形態において、図８に示すように、放水路（流路）１１は、上流側が復水器（図示略）に連結され、下流側に排水口１２が設けられている。放水路１１は、屈曲しており、両側に側壁部１３，１４が立設され、水流部１５が形成されている。水流部１５は、下流部が擁壁１６を貫通する貫通部１７を介して排水口１２に連通し、排水口１２は、海岸や河川に開口している。温度計測装置２０は、放水路（流路）１１の水流部１５を流れる冷却水の温度を計測するものであり、側壁部１３に設けられている。
【００２８】
図１は、本実施形態の流体の温度計測装置を表す側面図、図２は、流体の温度計測装置を正面から見た断面図、図３は、流体の温度計測装置を表す水平断面図、図４は、補強部材の取付状態を表す概略図、図５は、温度計の計測部を表す断面図である。
【００２９】
温度計測装置２０は、図１から図３に示すように、サポート部材２１と、温度計２２と、ガイド管（ガイド部材）２３とを備えている。
【００３０】
サポート部材２１は、流路を構成する側壁部１３に固定されている。サポート部材２１は、水平方向に沿って配置され、水平方向の一端部が側壁部１３における水流部１５より鉛直方向の上方に位置する上面部１３ａに載置されて固定部材３１により固定され、他端部が水流部１５の上方に延出している。
【００３１】
温度計２２は、鉛直方向に沿った棒形状をなし、鉛直方向の上方側がサポート部材２１に支持され、鉛直方向の下方側に設けられた計測部３２が流路の水流部１５に浸漬されている。温度計２２は、水流部１５に浸漬されない部分に補強部材３３が固定され、補強部材３３は、上端部がサポート部材２１に着脱自在に取付けられている。
【００３２】
この補強部材３３は、鉛直方向に沿った鋼材であって、図３及び図４に示すように、底部３３ａと２つの側部３３ｂからなる水平断面がＵ字形状をなしている。温度計２２は、補強部材３３における底部３３ａの中央部に沿って密着するように配置され、複数個所で溶接（溶接部Ｗ）されることで補強部材３３に固定される。なお、図示しないが、溶接部Ｗを含む温度計２２と補強部材３３の底部３３ａとの隙間が塗装により閉塞される。
【００３３】
また、補強部材３３は、各側部３３ｂにおける鉛直方向の上端部に左右一対の吊部３４が設けられると共に、底部３３ａにおける鉛直方向に所定間隔を空けて複数の取付孔（取付部）３５が設けられている。補強部材３３は、２つの固定ボルト３６が各取付孔３５を貫通してサポート部材２１に螺合することで、サポート部材２１に固定されている。例えば、温度計２２のメンテナンス作業を行うとき、固定ボルト３６を弛緩して補強部材３３を取外し、クレーン（図示略）のフックを吊部３４に係止して吊上げることができる。各取付孔３５は、温度計２２の両側に鉛直方向に沿って複数形成されており、固定ボルト３６が貫通する取付孔３５を変更することで、サポート部材２１に対する補強部材３３の高さ位置を変更し、温度計２２の設置位置を調整することができる。
【００３４】
温度計２２は、図４及び図５に示すように、温度計本体４１と、温度計本体４１を被覆する保護管４２とにより構成されている。温度計本体４１は、棒形状をなし、上端部に接続端子４３が設けられている。保護管４２は、中空形状をなし、温度計本体４１が内挿されており、鉛直方向における下端部が所定長さにわたって薄膜部４２ａが形成されることで計測部３２を構成している。この場合、温度計２２は、保護管４２が補強部材３３に対して複数個所で溶接部Ｗにより固定されることとなる。
【００３５】
ガイド管２３は、図１から図３に示すように、サポート部材２１から離間した位置で側壁部１３に固定されている。ガイド管２３は、円筒形状をなし、温度計２２の周囲に所定隙間を空けて配置されている。ガイド管２３は、鉛直方向に沿って配置され、鉛直方向に離間した２か所で取付ブラケット５１により側壁部１３の側面部１３ｂに固定されている。各取付ブラケット５１は、一端部がガイド管２３の外面に固定され、他端部が側壁部１３の側面部１３ｂに密着し、複数の固定ボルト５２により固定されている。
【００３６】
ガイド管２３は、温度計２２及び補強部材３３の一部を外側から被覆し、水流部１５の上方から水面１５ａを通して水流部１５に浸漬され、温度計２２の計測部３２を含む水流部１５に浸漬される部分の周囲に対向して配置されている。また、ガイド管２３は、上部開口５５及び下部開口５６が形成されて外周面が非開口となっていることから、水流部１５の水流が下部開口５６から浸入可能となっている。
【００３７】
なお、本実施形態では、ガイド管２３を円筒形状としたが、この形状に限定されるものではない。本発明のガイド部材は、温度計２２の水流部１５に浸漬される部分より少なくとも上流側に配置されていればよいものである。図６は、本実施形態の流体の温度計測装置の変形例１を表す水平断面図、図７は、本実施形態の流体の温度計測装置の変形例２を表す水平断面図である。
【００３８】
本実施形態の流体の温度計測装置における変形例１において、図６に示すように、温度計２２は、鉛直方向に沿った棒形状をなし、水流部１５に浸漬されない部分に補強部材３３が固定され、補強部材３３は、上端部がサポート部材２１（図１参照）に取付けられている。ガイド板（ガイド部材）６１は、Ｃ字断面形状をなし、温度計２２及び補強部材３３の周囲に所定隙間を空けて配置されている。ガイド板６１は、鉛直方向に沿って配置され、鉛直方向に離間した２か所で取付ブラケット６２により側壁部１３の側面部１３ｂ（図１参照）に固定されている。ガイド板６１は、温度計２２及び補強部材３３の一部を外側から被覆し、水流部１５の上方から水面１５ａを通して水流部１５に浸漬され、温度計２２の計測部３２を含む水流部１５に浸漬される部分の周囲に配置されている。変形例１のガイド板６１は、温度計２２の計測部３２を含む水流部１５に浸漬される部分より水流部１５の流れ方向の上流側に配置されている。
【００３９】
本実施形態の流体の温度計測装置における変形例２において、図７に示すように、ガイド板（ガイド部材）６３は、Ｌ字断面形状をなし、温度計２２及び補強部材３３の周囲に所定隙間を空けて配置されている。ガイド板６３は、鉛直方向に沿って配置され、鉛直方向に離間した２か所で取付ブラケット６４により側壁部１３の側面部１３ｂ（図１参照）に固定されている。ガイド板６３は、温度計２２及び補強部材３３の一部を外側から被覆し、水流部１５の上方から水面１５ａを通して水流部１５に浸漬され、温度計２２の計測部３２を含む水流部１５に浸漬される部分の周囲に配置されている。変形例２のガイド板６３は、温度計２２の計測部３２を含む水流部１５に浸漬される部分より水流部１５の流れ方向の上流側に配置されている。
【００４０】
ここで、本実施形態の温度計測装置２０の作用について説明する。
【００４１】
図１及び図２に示すように、サポート部材２１は、一端部が側壁部１３に固定され、温度計２２は、補強部材３３に固定され、補強部材３３の上端部がサポート部材２１の他端部に固定されている。一方、ガイド管６１（ガイド板６１，６３）は、取付ブラケット５１を介して側壁部１３に固定されている。このとき、温度計２２は、計測部３２を含む下部が水面１５ａより下方で水流部１５に浸漬し、補強部材３３は、水面１５ａより上方で水流部１５に浸漬していない。また、ガイド管２３は、下部が水面１５ａより下方で水流部１５に浸漬することで、上部が補強部材３３の下部の周囲を被覆し、下部が補強部材３３から下方に延出した温度計２２の下部の周囲を被覆する。即ち、ガイド管２３は、下端が温度計２２の下端と同位置、または、下端が温度計２２の下端より下方に位置することで、温度計２２における水流部１５に浸漬した全ての部分の周囲を覆うこととなる。
【００４２】
そのため、図２及び図３に示すように、温度計２２は、計測部３２を含む浸漬部分がガイド管２３に覆われて水流部１５の流れＦが直接作用しない。即ち、水流部１５の流れＦは、ガイド管２３の外周面に案内されて屈曲した流れＦ１となって下流側に流れていく。すると、温度計２２は、特に、計測部３２が水流部１５から直接曲げ応力を受けたり、カルマン渦による振動応力が発生しりすることがない。但し、水流部１５の水流は、下部開口５６からガイド管２３の内部に渦流として浸入することから、ガイド管２３の内部に配置されている温度計２２の計測部３２は、水流部１５を流れる水流の温度を計測することができる。
【００４３】
このように本実施形態の流体の温度計測装置にあっては、側壁部１３の上面部１３ａに固定されるサポート部材２１と、鉛直方向の上方側がサポート部材２１に支持されて下方側の計測部３２が水流部１５に浸漬される温度計２２と、サポート部材２１から離間した位置で側壁部１３の側面部１３ｂに固定されると共に温度計２２のうちの水流部１５に浸漬される部分より水流部１５の少なくとも上流側で温度計２２の水流部１５に浸漬される部分に対向して配置されるガイド管２３とを備えている。
【００４４】
従って、温度計２２は、側壁部１３に固定されたサポート部材２１に支持され、計測部３２が水流部１５に浸漬され、ガイド管２３は、側壁部１３に固定されて温度計２２より水流部１５の上流側で温度計２２の水流部１５に浸漬される部分に対向して配置される。ここで、温度計２２は、計測部３２を含む浸漬部分が水流部１５の水流から直接曲げ応力を受けたり、カルマン渦による振動応力が発生したりすることがなく、温度計２２自体の強度を上げたり、温度計２２を支持する支持部材を増加したり、温度計２２を水流の緩やかな場所に配置したりする必要がない。その結果、温度計２２の設置コストの増加を抑制することができる一方で、水流部１５の温度の計測精度を向上することができると共に、温度計２２のメンテナンス性を向上することができる。
【００４５】
本実施形態の流体の温度計測装置では、サポート部材２１は、側壁部１３における水流部１５より鉛直方向の上方に位置する上面部１３ａに固定され、ガイド管２３は、側壁部１３の側面部１３ｂに固定されている。従って、温度計２２とガイド管２３は、直接接触しておらず、ガイド管２３が水流部１５からの応力を受けたとしても、側壁部１３で受け止められることで、サポート部材２１を介して温度計２２に伝達されることはなく、温度計２２の振動を抑制することができる。
【００４６】
本実施形態の流体の温度計測装置では、温度計２２における水流部１５に浸漬されない部分に補強部材３３を固定し、補強部材３３の上端部をサポート部材２１に着脱自在に取付けている。従って、温度計２２における水流部１５が浸漬されない位置が補強部材３３により補強されることで、温度計２２の耐震性を向上することができる。また、温度計２２が補強部材３３により補強されて振動し難くなり、サポート部材２１に作用する負荷を低減することができる。更に、補強部材３３をサポート部材２１に対して着脱自在とすることで、温度計２２を補強部材３３と共にサポート部材２１から取り外し可能となり、温度計２２などのメンテナンス性を向上することができる。
【００４７】
本実施形態の流体の温度計測装置では、温度計本体４１と温度計本体４１を被覆する保護管４２とにより温度計２２を構成し、保護管４２を補強部材３３に対して複数個所で溶接（溶接部Ｗ）により固定している。従って、保護管４２から温度計本体４１だけを取り外すことが可能となり、温度計２２のメンテナンス性を向上することができる。
【００４８】
本実施形態の流体の温度計測装置では、補強部材３３に鉛直方向に所定間隔を空けて複数の取付孔３５を設けている。従って、サポート部材２１に対する補強部材３３の取付位置を鉛直方向に調整することができ、水流部１５の水面１５ａに対して温度計２２の計測部３２を最適位置に位置することで、計測裕度を向上することができる。
【００４９】
本実施形態の流体の温度計測装置では、ガイド管２３は、温度計２２の水流部１５に浸漬される部分を覆うように、水流部１５に浸漬されて温度計２２から所定隙間を空けて配置されている。従って、計測部３１が水流部１５から直接曲げ応力を受けたり、カルマン渦による振動応力が発生したりすることがなく、水流部１５の温度の計測精度を向上することができる。
【００５０】
本実施形態の流体の温度計測装置では、ガイド管２３を円筒形状とし、温度計２２の周囲に所定隙間を空けて配置している。従って、流れＦが旋回流であっても、計測部３２が水流部１５から直接応力を受けることがなく、温度計２２による水流部１５の温度の計測精度を向上することができる。
【００５１】
なお、上述した実施形態では、ガイド部材を円筒形状、Ｃ断面形状、Ｌ断面形状としたが、この形状に限定されるものではなく、多角筒形状としたり、Ｕ断面形状などとしたり、または、単なる平板材として温度計よりも水流の上流側に配置してもよい。
【００５２】
また、上述した実施形態では、補強部材３３をＵ断面形状としたが、この形状に限定されるものではなく、形状に限定されずに温度計２２を補強することができればよい。
【００５３】
また、上述した実施形態では、１本の温度計に対して１つのガイド部材を配置したが、複数の温度計に対して１つのガイド部材を配置したり、１本の温度計に対して複数のガイド部材を配置したりしてもよい。また、１個のサポート部材に対して１本の温度計を配置したが、サポート部材を複数設けてもよい。更に、サポート部材を側壁部の上面部に固定したが、側面部に固定してもよい。この場合、サポート部材とガイド部材を側壁部における水流部より鉛直方向の上方に位置する上面部や側面部に固定したが、水流部に固定してもよい。
【００５４】
また、上述した実施形態では、本発明の流体の温度計測装置を発電プラントの放水路に適用して説明したが、その他、取水口や放水口などに配置してもよく、また、発電プラントに適用される冷却水に限らず、給水や排水など水などが流れる水流部を備えた設備であれば、いずれの設備に適用してもよい。
【符号の説明】
【００５５】
１１  放水路
１２  排水口
１３，１４  側壁部
１３ａ  上面部
１３ｂ  側面部
１５  水流部
２０  温度計測装置
２１  サポート部材
２２  温度計
２３  ガイド管（ガイド部材）
３２  計測部
３３  補強部材
３５  取付孔（取付部）
４１  温度計本体
４２  保護管
５１，６２，６４  取付ブラケット
５５  上部開口
５６  下部開口
６１，６３  ガイド板（ガイド部材）
【図１】
2018072289.tif 000003
【図２】
2018072289.tif 000004
【図３】
2018072289.tif 000005
【図４】
2018072289.tif 000006
【図５】
2018072289.tif 000007
【図６】
2018072289.tif 000008
【図７】
2018072289.tif 000009
【図８】
2018072289.tif 000010